(57)【要約】【課題】都市部におけるヒートアイランド現象の原因である人工建築物の表面温度上昇に対し、エリア単位での平均温度を測定し、中央制御装置で一括管理し効率的に散水することで温度上昇を低減できる遠隔制御散水システムを提供する。【解決手段】人工建築物の表面温度を測定する温度検知装置１と、水道水を人工建築物の複数箇所から散水する散水装置２０とからなる端末制御装置３０と、収集した温度を平均化するエリア別平均温度演算手段６と、複数の端末制御装置３０の固有情報を保管管理する端末制御装置登録手段７と、登録された固有情報から散水の優先順位を決定する優先度設定手段８と、散水の時間を設定する散水時間設定手段９と、を備え、端末制御装置と中央制御装置はインターネット網と接続し遠隔制御散水システムを構成することにより、ヒートアイランド現象を自動で抑制する。【選択図】図１
2007138617.tif 000002
【特許請求の範囲】
【請求項１】
建築物の表面温度を測定する複数の温度検知装置と、前記温度検知装置の検知値を通信線を介して受信し平均温度を演算する平均温度演算手段と、前記建築物の固有情報を記憶する固有情報記憶手段と、備蓄した雨水および水道水を前記建築物の複数箇所から散水する散水装置と、前記散水装置に散水可否の信号を通信線を介して指示する散水機器制御手段と、前記平均温度と前記固有情報と散水指示情報を遠隔地へインターネット網を介して通信する端末データ送受信手段とからなる端末制御装置と、複数の端末制御装置で収集した温度をエリア別に平均化するエリア別平均温度演算手段と、複数の端末制御装置の固有情報を保管管理する端末制御装置登録手段と、登録された固有情報から散水の優先順位を決定する優先度設定手段および散水の時間を設定する散水時間設定手段と、散水する端末制御装置を決定する散水端末制御装置決定手段と、散水可否の情報と散水時間を端末制御装置に指示する動作指示手段と、前記端末制御装置からの温度情報と動作指示情報をインターネット網を介して通信する中央データ送受信手段とからなる中央制御装置とを備えた遠隔制御散水システムであって、複数の温度検知装置を計測し前記温度により優先順位を決定し、前記優先順位に基づいて散水することを特徴とする遠隔制御散水システム。
【請求項２】
端末制御装置内の使用量積算手段は、散水に用いた水道料および電力量を積算し、この積算量の値に応じて中央制御装置内のポイント決定手段が、複数の端末制御装置を管理する所有者に対しポイントを付加することを特徴とする請求項１記載の遠隔制御散水システム。
【請求項３】
ポイント決定手段で決定されたポイントに応じて複数の使用方法を選択することを特徴とする請求項２記載の遠隔制御散水システム。
【請求項４】
端末制御装置内には散水警告表示手段を設け、複数の散水装置が散水を行う所定時間前に事前に端末制御装置表面もしくは周辺にて、光、音、振動、文字表示のいずれかもしくはこれらの組み合わせにより警告することを特徴とする請求項１記載の遠隔制御散水システム。
【請求項５】
遠隔制御散水システムは散水中表示手段を有し前記散水中表示手段は、広域表示媒体上に散水を実施しているエリアを表示するとともに任意の情報を表示することを特徴とする請求項１記載の遠隔制御散水システム。
【発明の詳細な説明】
【技術分野】
【０００１】
本発明は機器の遠隔制御散水システムに関するものである。
【背景技術】
【０００２】
従来、この種の遠隔制御散水システムでは、例えば図６に記載された温度上昇防止システムがあった。
【０００３】
図６において、道路、中央分離帯、舗道などの人工地盤面、建築物の屋上やベランダ、テラスなどの表面温度を温度センサー１００により測定し所定温度になると所定温度検知手段１０１がポンプ１０３を動作させ貯水タンク１０２の水をスプリンクラー１０４を介して散水し直射日光により上昇した表面温度を持続的に降下させることができるものである（例えば、特許文献１参照）。
【特許文献１】特開２００３−１０５８８３号公報
【発明の開示】
【発明が解決しようとする課題】
【０００４】
しかしながら、上記従来の構成では、個々の建築物が独自に散水し表面温度を低減させヒートアイランド現象を局地的に抑制できるが、エリア単位での表面温度の低減ができない、また散水状況を把握できず突然散水を開始することで歩行者や車両への悪影響がでる可能性がある。
【０００５】
また散水することで発生する諸費用を建築物所有者が負担するため、散水可能な建築物の展開が遅れるという課題を有していた。
【０００６】
本発明は、前記従来の課題を解決するもので、エリア単位での平均温度を測定し、中央制御装置で一括管理し効率的に散水することができる。
【０００７】
また散水に協力した建築物所有者に対し水道料および電力量の使用状態に応じたポイントを付加することで、協力者の参加を促せることが容易にできる遠隔制御散水システムのビジネスモデルを提供することを目的とする。
【課題を解決するための手段】
【０００８】
前記従来の課題を解決するために、本発明の遠隔制御散水システムは、人工建築物の表面温度を測定する複数の温度検知装置と、前記複数の温度検知装置からの検知値を通信線を介して平均化する平均温度演算手段と、人工建築物の固有情報を記憶する固有情報記憶手段と、蓄えられた雨水および水道水を人工建築物の複数箇所から散水する散水装置と、前記散水装置に散水のＯＮ／ＯＦＦ信号を通信線を介して指示する散水機器制御手段と、前記平均温度と前記固有情報と散水指示情報を遠隔地へインターネット網を介して通信する端末データ送受信手段とからなる端末制御装置と、複数の端末制御装置で収集した温度をエリア別に平均化するエリア別平均温度演算手段と、複数の端末制御装置の固有情報を集中的に保管管理する端末制御装置登録手段と、登録された固有情報から散水の優先順位を決定する優先度設定手段と、登録された固有情報から散水の時間を設定する散水時間設定手段と、実際に散水する端末制御装置を決定する散水端末制御装置決定手段と、散水のＯＮ／ＯＦＦ情報と散水時間を端末制御装置に指示する動作指示手段と、端末制御装置からの温度情報と動作指示情報をインターネット網を介して通信する中央データ送受信手段とからなる中央制御装置とを設けたものである。
【０００９】
これによって都心部におこるヒートアイランド現象に対し、中央で一括監視制御するためエリア単位で効率的に人工建築物の表面温度を低減させることができる。
【００１０】
また、本発明の遠隔制御散水システムは、端末制御装置内に使用量積算手段と中央制御装置内にポイント決定手段を設けたものである。
【００１１】
これによって散水に用いた水道料および電力量の積算量の情報を元に中央制御装置内のポイント決定手段が、複数の端末制御装置を管理する所有者に対しポイントを付加し、散水に対する協力者を容易に誘致することができる。
【００１２】
また、本発明の遠隔制御散水システムは、端末制御装置内にポイント使用方法決定手段を設けたものである。
【００１３】
これによって、ポイント決定手段で決定されたポイントに応じて複数の使用方法を選択でき、ポイントの利便性の向上を図ることができる。
【００１４】
また、本発明の遠隔制御散水システムは、端末制御装置内に散水警告表示手段を設けたものである。
【００１５】
これによって複数の散水装置が散水を行う前に事前に端末制御装置表面もしくは周辺にて光、音、振動、文字表示のいずれかもしくは組み合わせにより散水の実施を警告するとともに散水中を警告するため、歩行者や車両への悪影響を防止することができる。
【００１６】
また、本発明の遠隔制御散水システムは、散水中表示手段を設けたものである。
【００１７】
これによって広域表示媒体上に散水を実施しているエリアを表示するとともに温度の低下状況を表示し更に任意の情報（例えば、散水に協力した建築物所有者の広告等）を表示できるため、省エネ意識の向上と更なる協力者の増加を促進することができる。
【発明の効果】
【００１８】
本発明の遠隔制御散水システムは、都市部におけるヒートアイランド現象の原因である人工建築物の表面温度上昇に対し、エリア単位での平均温度を測定し、中央制御装置で一括管理し効率的に散水することで温度上昇を低減できる。
【００１９】
また散水に協力した建築物所有者に対し水道料および電力量の使用状態に応じたポイントを付加することで、協力者の参加を促せることが容易にできる。
【００２０】
また散水において事前に警告する手段を設けており、歩行者や車両への悪影響を防止するとともに広域表示媒体上に散水を実施しているエリアを表示および温度の低下状況の表示と散水に協力した建築物所有者の広告を表示できるため、省エネ意識の向上を図ることができる。
【発明を実施するための最良の形態】
【００２１】
第１の発明は、人工建築物の表面温度を測定する複数の温度検知装置と、前記複数の温度検知装置からの検知値を通信線を介して平均化する平均温度演算手段と、人工建築物の固有情報を記憶する固有情報記憶手段と、蓄えられた雨水および水道水を人工建築物の複数箇所から散水する散水装置と、前記散水装置に散水のＯＮ／ＯＦＦ信号を通信線を介して指示する散水機器制御手段と、前記平均温度と前記固有情報と散水指示情報を遠隔地へインターネット網を介して通信する端末データ送受信手段とからなる端末制御装置と、複数の端末制御装置で収集した温度をエリア別に平均化するエリア別平均温度演算手段と、
複数の端末制御装置の固有情報を集中的に保管管理する端末制御装置登録手段と、登録された固有情報から散水の優先順位を決定する優先度設定手段と、登録された固有情報から散水の時間を設定する散水時間設定手段と、実際に散水する端末制御装置を決定する散水端末制御装置決定手段と、散水のＯＮ／ＯＦＦ情報と散水時間を端末制御装置に指示する動作指示手段と、端末制御装置からの温度情報と動作指示情報をインターネット網を介して通信する中央データ送受信手段とからなる中央制御装置とを備えることにより、都心部におこるヒートアイランド現象に対し、中央で一括監視制御するためエリア単位で効率的に人工建築物の表面温度を低減させることができる。
【００２２】
第２の発明は、特に第１の発明の端末制御装置内に使用量積算手段と中央制御装置内にポイント決定手段を設けたことにより、散水に用いた水道料および電力量の積算量の情報を元に中央制御装置内のポイント決定手段が、複数の端末制御装置を管理する所有者に対しポイントを付加し、散水に対する協力者を容易に誘致することができる。
【００２３】
第３の発明は、特に第１および第２の発明の端末制御装置内にポイント使用方法決定手段を設けたことにより、ポイントの利便性の向上を図ることができる。
【００２４】
第４の発明は、特に第１の発明の端末制御装置内に散水警告表示手段を設けたことにより、複数の散水装置が散水を行う前に事前に端末制御装置表面もしくは周辺にて光、音、振動、文字表示のいずれかもしくは組み合わせにより散水の実施を警告するとともに散水中を警告するため、歩行者や車両への悪影響を防止することができる。
【００２５】
第５の発明は、散水中表示手段を設けたことにより、広域表示媒体上に散水を実施しているエリアを表示するとともに温度の低下状況を表示し更に散水に協力した建築物所有者の広告を表示できるため、省エネ意識の向上と更なる協力者の増加を促進することができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における遠隔制御散水システムのブロック図を示すものである。
【００２８】
図１において、遠隔制御散水システム３２は、人工建築物の表面温度を測定する複数の温度検知装置１、複数の温度検知装置１からの検知値を通信線Ａを介して平均化する平均温度演算手段２、人工建築物の固有情報を記憶する固有情報記憶手段４、蓄えられた雨水および水道水を人工建築物の複数箇所から散水する散水装置２０、前記散水装置２０に散水のＯＮ／ＯＦＦ信号を通信線Ａを介して指示する散水機器制御手段１２、前記記平均温度２と前記固有情報と散水指示情報を遠隔地へインターネット網５を介して通信する端末データ送受信手段３Ａとからなる端末制御装置３０と、前記複数の端末制御装置３０で収集した温度をエリア別に平均化するエリア別平均温度演算手段６、前記複数の端末制御装置３０の固有情報を集中的に保管管理する端末制御装置登録手段７、登録された固有情報から散水の優先順位を決定する優先度設定手段８、登録された固有情報から散水の時間を設定する散水時間設定手段９、実際に散水する端末制御装置３０を決定する散水端末制御装置決定手段１０、散水のＯＮ／ＯＦＦ情報と散水時間を端末制御装置３０に指示する動作指示手段１１、前記端末制御装置３０からの温度情報と動作指示情報をインターネット網５を介して通信する中央データ送受信手段３Ｂとからなる中央制御装置３１から構成される。
【００２９】
以上のように構成された遠隔制御散水システムについて、以下その動作、作用を説明する。
【００３０】
まず、端末制御装置３０内の複数の温度検知装置１Ａ〜１ｎは、道路や中央分離帯、舗道およびビルの屋上や側面などの人工建築物の表面温度を測定（例：１Ａ＝５０℃、１Ｂ＝５５℃・・・１ｎ＝４５℃）する。
【００３１】
平均温度演算手段２は、前記複数の温度検知装置１からの検知値を通信線Ａを介して平均化（例：平均値ＡＶＥ１＝５０℃）する。
【００３２】
固有情報記憶手段４は、前記人工建築物における所有者情報（例：住所・所有者名・連絡先・所有期限）と地域情報（例：所在地番号・エリア番号）と制御用ＩＰアドレス情報と履歴情報（例：温度履歴情報・散水回数・散水時間・散水の可否）などの固有情報を記憶する。
【００３３】
複数の散水装置２０Ａ〜２０ｎは、蓄えられた雨水および水道水を人工建築物の複数箇所から散水する。散水機器制御手段１２は、前記散水装置２０に散水のＯＮ／ＯＦＦを通信線Ａを介して指示する。
【００３４】
端末データ送受信手段３Ａは、前記平均温度と前記固有情報を遠隔地の中央制御装置３１へインターネット網５を介して通信するとともに散水の許可情報を受信する。これら端末制御装置３０はエリアごとに複数存在する。
【００３５】
次に中央制御装置３１内のエリア別平均温度演算手段６は、複数の端末制御装置３０Ａ〜３０ｎで収集した端末別の平均温度（例：ＡＶＥ１＝５０℃、ＡＶＥ２＝５５℃・・・ＡＶＥｎ＝４５℃）をエリア別に平均化（例：ＡＶＥ＝５０℃）する。
【００３６】
端末制御装置登録手段７は、複数の端末制御装置３０Ａ〜３０ｎの固有情報を集中的に保管管理する。
【００３７】
優先度設定手段８は、前記登録された固有情報から散水の優先順位を決定（例：端末制御装置３０Ａは中央分離帯＝優先度高、３０Ｂは道路＝優先度中、３０Ｃはビル屋上＝優先度低）する。
【００３８】
散水時間設定手段９は、登録された前記固有情報（例：端末制御装置３０Ａは散水が長時間可能、端末制御装置３０Ｂは散水が短時間可能）から散水の時間を設定（例：端末制御装置３０Ａ＝１時間、端末制御装置３０Ｂは１０分）する。
【００３９】
散水端末制御装置決定手段１０は、実際に散水する端末制御装置３０を決定する。動作指示手段１１は、決定された端末制御装置３０への散水のＯＮ／ＯＦＦ可否情報と散水時間情報を中央データ送受信手段３Ｂに送信する。
【００４０】
中央データ送受信手段３Ｂは、散水の許可情報である前記ＯＮ／ＯＦＦ可否情報と前記散水時間情報を遠隔地の端末制御装置３０へインターネット網５を介して通信するとともに端末制御装置３０からの平均温度と前記固有情報を受信する。
【００４１】
以降この動作を繰り返す。
【００４２】
以上のように、本実施の形態における遠隔制御散水システム３２は、人工建築物が密集する都心部におけるヒートアイランド現象の発生を複数の温度検知装置が計測し、優先順
位の高い人工建築物から散水装置により散水することで人工建築物の表面温度を低減する。
【００４３】
したがって都心部におこるヒートアイランド現象に対し、中央で一括監視制御するためエリア単位で効率的に人工建築物の表面温度を低減させることができる。
【００４４】
（実施の形態２）
図２は、本発明の実施の形態２における遠隔制御散水システムのブロック図である。同図において、図１と同じ構成要素については同じ符号を用い説明を省略する。
【００４５】
図２において、散水に用いた水道料および電力量を積算する使用量積算手段１４は、端末制御装置３０内に構成され、各端末制御装置３０が使用した水道料および電力量に応じてポイントを付加するポイント決定手段１３は、中央制御装置３１内に構成されている。
【００４６】
以上のように構成された遠隔制御散水システムについて、以下その動作、作用を説明する。
【００４７】
まず、使用量積算手段１４は、散水機器制御手段１２から指示された散水に必要な水道料および電力量を積算カウントし端末データ送受信手段３Ａを介し中央制御装置３１内のポイント決定手段１３に積算カウント値（例：端末制御装置３０Ａ＝６０ｍｉｎ／１ｄａｙ、端末制御装置３０Ｂ＝３０ｍｉｎ／１ｄａｙ、端末制御装置３０ｎ＝１２０ｍｉｎ／１ｄａｙ）を送信する。
【００４８】
次に、ポイント決定手段１３は、得られた積算値をもとにポイント（例：６０ｍｉｎ＝６０ポイント、３０ｍｉｎ＝３０ポイント、１２０ｍｉｎ＝１２０ポイント）に変換する。以降この動作を繰り返す。
【００４９】
以上のように、本実施の形態における遠隔制御散水システム３２は、散水に用いた水道料および電力量の積算量の情報を元に中央制御装置３１内のポイント決定手段１４が、複数の端末制御装置３０を管理する所有者に対しポイントを付加し、散水に対する協力者を容易に誘致することができる。
【００５０】
（実施の形態３）
図３は、本発明の実施の形態３における遠隔制御散水システムのブロック図である。同図において、図１および図２と同じ構成要素については同じ符号を用い説明を省略する。
【００５１】
図３において、端末制御装置３０の所有者が水道料および電力量の使用量に応じて付加されたポイントの使用方法を選択できるポイント使用方法決定手段１５は、端末制御装置３０内に構成される。
【００５２】
以上のように構成された遠隔制御散水システムについて、以下その動作、作用を説明する。
【００５３】
まず、ポイント使用方法決定手段１５は、中央制御装置３１内のポイント決定手段１３から送信されたポイントを端末データ送受信手段３Ａを介して受信し、ポイントの使用方法（例：企業広告を流す・税の優遇を受ける・公共料金を下げる等時代に合致したサービスを選択する）を決定する。以降この動作を繰り返す。
【００５４】
以上のように、本実施の形態における遠隔制御散水システム３２は、ポイント決定手段１５で決定されたポイントに応じて複数の使用方法を選択できる。
【００５５】
したがってポイントの利便性の向上を図ることができる。
【００５６】
（実施の形態４）
図４は、本発明の実施の形態４における遠隔制御散水システムのブロック図である。同図において、図１と同じ構成要素については同じ符号を用い説明を省略する。
【００５７】
図４において、散水状態をしらせる散水警告表示手段１６は、端末制御手段内３０に構成される。
【００５８】
以上のように構成された遠隔制御散水システムについて、以下その動作、作用を説明する。
【００５９】
まず、中央制御装置３１内の動作指示手段１１からの散水指示信号をインターネット網５を経由し端末制御装置３０内の散水機器制御手段１２が受信したとき、複数の散水装置２０Ａ〜２０ｎが散水を行う所定時間前に事前に端末制御装置３０の表面もしくは周辺にて光、音、振動、文字表示のいずれかもしくは組み合わせにより散水の実施を警告するとともに散水中を警告する。
【００６０】
したがって急な散水による歩行者や車両への悪影響を防止することができる。
【００６１】
（実施の形態５）
図５は、本発明の実施の形態５における遠隔制御散水システムのブロック図である。
【００６２】
同図において、図１および図５と同じ構成要素については同じ符号を用い説明を省略する。
【００６３】
図５において、散水中表示手段１７は、交通情報掲示板やビル設置の電光表示板などの広域表示媒体上として構成される。
【００６４】
以上のように構成された遠隔制御散水システムについて、以下その動作、作用を説明する。
【００６５】
まず、中央制御装置３１内の動作指示手段１１からの散水指示信号をインターネット網５を経由し散水表示手段１７が散水のエリア情報を受信し散水を実施しているエリアを表示するとともに温度の低下状況および散水に協力した建築物所有者の広告を表示する。
【００６６】
したがって、省エネ意識の向上と更なる協力者の増加を促進することができる。
【産業上の利用可能性】
【００６７】
以上のように、本発明の遠隔制御散水システムは、都市部におけるヒートアイランド現象において、エリア単位での平均温度を測定し、中央制御装置で一括管理し効率的に散水することができるとともに散水に協力した建築物所有者に対し水道料および電力量の使用状態に応じたポイントを付加することで、協力者の参加を促せることが容易にできる遠隔制御散水システムのビジネスモデルを提供する。
【図面の簡単な説明】
【００６８】
【図１】本発明の実施の形態１における遠隔制御散水システムのブロック図
【図２】本発明の実施の形態２における遠隔制御散水システムのブロック図
【図３】本発明の実施の形態３における遠隔制御散水システムのブロック図
【図４】本発明の実施の形態４における遠隔制御散水システムのブロック図
【図５】本発明の実施の形態５における遠隔制御散水システムのブロック図
【図６】従来の遠隔制御散水システムのブロック図
【符号の説明】
【００６９】
１  温度検知装置
２  平均温度演算手段
３Ａ  端末データ送受信手段
３Ｂ  中央データ送受信手段
４  固有情報記憶手段
５  インターネット網
６  エリア別平均温度演算手段
７  端末制御装置情報登録手段
８  優先度設定手段
９  散水時間設定手段
１０  散水端末制御装置決定手段
１１  動作指示手段
１２  散水機器制御手段
１３  ポイント決定手段
１４  使用量積算手段
１５  ポイント使用方法決定手段
１６  散水警告表示手段
１７  散水中表示手段
２０  散水装置
３０  端末制御装置
３１  中央制御装置
Ａ  通信線
【図１】
2007138617.tif 000003
【図２】
2007138617.tif 000004
【図３】
2007138617.tif 000005
【図４】
2007138617.tif 000006
【図５】
2007138617.tif 000007
【図６】
2007138617.tif 000008